(57)【要約】【課題】容易に保冷／保温箱の状態を輸送会社や借主に知らせることができる保冷／保温箱の管理システムを提供する。【解決手段】センサ１１１が、保冷剤が収容された保冷箱２０に取り付けられる。サーバ装置１５が、保冷箱２０の輸送を行う輸送会社４０Ａ〜４０Ｆ又は保冷箱２０を借りた借主３０を管理する。サーバ装置１５が、センサ１１１からの検出結果を示す箱情報を無線で受信する。サーバ装置１５が、冷凍センタ５０から保冷箱２０に収容された保冷剤の交換情報を受信する。サーバ装置１５は、無線で受信した箱情報及び交換情報を、管理している輸送会社４０Ａ〜４０Ｆ又は借主３０に送信する。【選択図】図２
2022002049.tif 000002
【特許請求の範囲】
【請求項１】
保冷／保温剤が収容された保冷／保温箱に取り付けられたセンサと、
前記保冷／保温箱の輸送を行う輸送会社又は前記保冷／保温箱を借りた借主を管理する管理部と、
前記センサからの検出結果を、前記管理部が管理している前記輸送会社又は前記借主に送信する情報送信部と、を備えた、
保冷／保温箱の管理システム。
【請求項２】
請求項１に記載の保冷／保温箱の管理システムにおいて、
前記情報送信部には、前記センサからの検出結果が無線通信を介して送信される、
保冷／保温箱の管理システム。
【請求項３】
請求項１又は２に記載の保冷／保温箱の管理システムにおいて、
前記保冷／保温箱に取り付けられ、前記保冷／保温箱の発送元、配送先を示す配送情報又は借主情報が書き込まれるメモリを備え、
前記管理部には、前記メモリに書き込まれた前記配送情報又は前記借主情報が無線通信を介して送信され、
前記管理部は、前記配送情報又は前記借主情報に基づいて、前記輸送会社又は前記借主を管理する、
保冷／保温箱の管理システム。
【請求項４】
請求項１〜３何れか１項に記載の保冷／保温箱の管理システムにおいて、
前記情報送信部は、前記センサからの検出結果と、輸送途中に前記保冷剤を交換したことを示す交換情報と、を前記管理部が管理している前記輸送会社又は前記借主に送信する、
保冷／保温箱の管理システム。
【発明の詳細な説明】
【技術分野】
【０００１】
本発明は、保冷／保温箱の管理システム、に関する。
【背景技術】
【０００２】
従来、食品等を保存、輸送する際に保冷箱が用いられている（特許文献１）。保冷箱内には保冷剤が収容されている。また、この保冷箱を使って輸送を行ったり、保冷箱を貸出したりするビジネスが考えられる。このため、保冷箱の輸送を行う輸送会社や保冷箱を借りた借主が、保冷箱の状態を知りたい、という要望があった。
【先行技術文献】
【特許文献】
【０００３】
【特許文献１】特開２０１２−０３２０８７号公報
【発明の概要】
【発明が解決しようとする課題】
【０００４】
本発明は、上述した事情に鑑みてなされたものであり、その目的は、容易に保冷箱の状態を輸送会社や借主に知らせることができる保冷／保温箱の管理システムを提供することにある。
【課題を解決するための手段】
【０００５】
前述した目的を達成するために、本発明に係る保冷／保温箱の管理システムは、下記［１］〜［３］を特徴としている。
［１］
保冷／保温剤が収容された保冷／保温箱に取り付けられたセンサと、
前記保冷／保温箱の輸送を行う輸送会社又は前記保冷／保温箱を借りた借主を管理する管理部と、
前記センサからの検出結果を、前記管理部が管理している前記輸送会社又は前記借主に送信する情報送信部と、を備えた、
保冷／保温箱の管理システムであること。
［２］
［１］に記載の保冷／保温箱の管理システムにおいて、
前記情報送信部には、前記センサからの検出結果が無線通信を介して送信される、
保冷／保温箱の管理システムであること。
［３］
［１］又は［２］に記載の保冷／保温箱の管理システムにおいて、
前記保冷／保温箱に取り付けられ、前記保冷／保温箱の発送元、配送先を示す配送情報又は借主情報が書き込まれるメモリを備え、
前記管理部には、前記メモリに書き込まれた前記配送情報又は前記借主情報が無線通信を介して送信され、
前記管理部は、前記配送情報又は前記借主情報に基づいて、前記輸送会社又は前記借主を管理する、
保冷／保温箱の管理システムであること。
［４］
［１］〜［３］何れか１項に記載の保冷／保温箱の管理システムにおいて、
前記情報送信部は、前記センサからの検出結果と、輸送途中に前記保冷剤を交換したことを示す交換情報と、を前記管理部が管理している前記輸送会社又は前記借主に送信する、
保冷／保温箱の管理システムであること。
【０００６】
上記［１］の構成の保冷／保温箱の管理システムによれば、情報送信部が、保冷／保温箱に取り付けられたセンサからの検出結果を、管理部が管理している輸送会社又は借主に送信する。これにより、容易に保冷／保温箱の状態を輸送会社や借主に知らせることができる。
【０００７】
上記［２］の構成の保冷／保温箱の管理システムによれば、情報送信部には、センサからの検出結果が無線通信を介して送信される。これにより、リアルタイムに保冷／保温箱の状態を輸送会社や借主に知らせることができる。
【０００８】
上記［３］の構成の保冷／保温箱の管理システムによれば、管理部には、メモリに書き込まれた配送情報又は借主情報が無線通信を介して送信され、管理部は、配送情報又は借主情報に基づいて、輸送会社又は借主を管理する。これにより、保冷／保温箱に取り付けられたメモリに配送情報又は借主情報を書き込むことにより、管理部に配送情報又は借主情報を送信することができる。
【０００９】
上記［４］の構成の保冷／保温箱の管理システムによれば、保冷／保温剤の交換情報も輸送会社や借主に知らせることができる。
【発明の効果】
【００１０】
本発明によれば、容易に保冷／保温箱の状態を輸送会社や借主に知らせることができる保冷／保温箱の管理システムを提供することができる。
【００１１】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１２】
【図１】図１は、本発明の保冷箱の管理システムが適用される物流の一例について説明するための説明図である。
【図２】図２は、本発明の保冷箱の管理システムの一実施形態を示す構成図である。
【図３】図３は、図２に示す保冷箱に取り付けられたセンサ付き無線器の構成図である。
【図４】図４は、図２に示すサーバ装置の構成図である。
【図５】図５は、図２に示す保冷箱の管理システムの動作を説明するためのシーケンス図である。
【発明を実施するための形態】
【００１３】
本発明に関する具体的な実施形態について、各図を参照しながら以下に説明する。
【００１４】
本実施形態の保冷箱の管理システム１０に用いられる保冷箱２０は、例えば冷凍用、冷蔵用の２種類がある。冷蔵用の保冷箱２０は、ドライアイス、保冷ジェルなどの保冷剤によって無電源で、箱内温度が０〜１０℃に保つようにされている。冷凍用の保冷箱２０は、ドライアイス、保冷ジェルなどの保冷剤によって無電源で、箱内温度を−１５℃以下に保つようにされている。この保冷箱２０には、生鮮食品など冷凍、冷蔵で保存が必要なものが収容される。また、この保冷箱２０内に窒素や二酸化炭素を注入したり、エチレン分解機能を持たせたりすることもある。
【００１５】
本実施形態の保冷箱の管理システム１０（以下単に「管理システム１０」と略記する）は、上述した保冷箱２０を借りた借主３０を管理し、借主３０に保冷箱２０内の状態をリアルタイムで伝えるシステムである。また、管理システム１０は、借主３０が保冷箱２０を用いて物を輸送した場合、保冷箱２０の輸送を依頼した輸送会社４０Ａ〜４０Ｆを管理し、輸送会社４０Ａ〜４０Ｆに保冷箱２０内の状態をリアルタイムで伝えるシステムである。
【００１６】
なお、管理システム１０は、図１に示すように、物の配送を専門に行っている輸送会社４０Ａ、４０Ｆだけでなく、物と旅客の輸送を一緒に行う飛行機７０や電車８０、フェリー９０、バス１００などの輸送会社４０Ｂ〜４０Ｅにも保冷箱２０の輸送依頼を行う。管理システム１０は、保冷箱２０を発送元から配送先まで輸送する際に、複数の輸送会社４０Ａ〜４０Ｆに輸送依頼を行ってもよい。図１に示す例では、保冷箱２０は、輸送会社４０Ａが所有する大型トラック６０と、輸送会社４０Ｂ、４０Ｃ又は４０Ｄが所有する飛行機７０、電車８０又はフェリー９０と、輸送会社４０Ｅが所有するバス１００と、輸送会社４０Ｆが所有する小型トラック１１０と、に順に載せ替えられて発送元から発送先まで輸送される。
【００１７】
次に、本実施形態の管理システム１０について、図２を参照して説明する。本実施形態の管理システム１０は、保冷箱２０に取り付けられたセンサ付き無線器１１と、保冷箱２０の借主３０が所有する借主用端末１２と、輸送会社４０Ａ〜４０Ｅが所有する輸送会社用端末１３と、冷凍センタが所有するセンタ用端末１４と、サーバ装置１５と、を備えている。センサ付き無線器１１、借主用端末１２、輸送会社用端末１３、センタ用端末１４と、サーバ装置１５と、はインターネット通信網１２０を介して通信可能に設けられている。
【００１８】
センサ付き無線器１１は、図３に示すように、各種センサ１１１と、メモリ１１２と、ＲＦ通信部１１３と、インターネット通信部１１４と、制御部１１５と、を有している。各種センサ１１１は、保冷箱２０内の温度、保冷剤の温度、位置、湿度、雰囲気組成、振動などをそれぞれ検出する。メモリ１１２には、定期的にセンサ１１１の検出結果が記録される。ＲＦ通信部１１３は、図示しないＲＦリーダライタと無線通信を行って、非接触でメモリ１１２に情報を書き込むことができる。
【００１９】
インターネット通信部１１４は、インターネット通信網１２０に接続するための回路やアンテナなどで構成されている。制御部１１５は、例えばＲＡＭ（Ｒａｎｄｏｍ  Ａｃｃｅｓｓ  Ｍｅｍｏｒｙ）やＲＯＭ（Ｒｅａｄ  Ｏｎｌｙ  Ｍｅｍｏｒｙ）などのメモリを備えたＣＰＵ（Ｃｅｎｔｒａｌ  Ｐｒｏｃｅｓｓｉｎｇ  Ｕｎｉｔ）で構成され、センサ付き無線器１１全体の制御を司る。
【００２０】
借主用端末１２、輸送会社用端末１３及びセンタ用端末１４は、プログラムに従って動作するコンピュータを内蔵したＰＣ、タブレット、スマートフォンなどから構成されている。図２に示す例では、借主用端末１２は、タブレットやスマートフォンから構成され、輸送会社用端末１３及びセンタ用端末１４は、ＰＣから構成されている。
【００２１】
サーバ装置１５は、管理システム１０を提供する会社が所有し、図４に示すように、通信部１５１と、ＤＢ１５２と、制御部１５３と、を有している。通信部１５１は、インターネット通信網１２０に接続するための回路などで構成されている。ＤＢ１５２は、保冷箱２０を借りた借主３０、保冷箱２０を輸送する輸送会社４０Ａ〜４０Ｆの管理情報などが記録されている。制御部１５３は、例えばＲＡＭ、ＲＯＭなどのメモリを備えたＣＰＵで構成され、サーバ装置１５全体の制御を司る。
【００２２】
次に、上述した構成の管理システム１０の動作について図５を参照して説明する。借主３０、輸送会社４０Ａ〜４０Ｆ、冷凍センタ５０は、各端末１２〜１３に管理システム１０用のアプリをインストールし、インストールされたアプリを使って登録情報を入力し、登録情報をサーバ装置１５に送信する。
【００２３】
保冷箱２０は、例えば生鮮食品などの販売を行う販売店でレンタルすることができる。借主３０は、販売店の店員に保冷箱２０を借りて購入品を配送したい旨を告げる。借主３０は、管理システムに登録した際に得た借主３０の借主情報（借主のＩＤ）、配送先を店員に伝える。店員は借主３０の購入品を保冷箱２０に詰める。また、店員は、図示しないＲＦリーダライタを用いて、保冷箱２０内に取り付けられたセンサ付き無線器１１内のメモリ１１２に借主情報、発送元、配送先を示す配送情報を書き込む。
【００２４】
保冷箱２０に取り付けられたセンサ付き無線器１１の制御部１１５（以下、単に「保冷箱２０」と略記する）は、借主情報、配送情報が書き込まれると、借主情報、配送情報に保冷箱２０のＩＤを付与してサーバ装置１５に送信する。また、保冷箱２０は、借主情報、配送情報が書き込まれると、定期的にセンサ１１１が検出した検出結果を示す箱情報に保冷箱２０のＩＤを付与してサーバ装置１５に送信する。
【００２５】
サーバ装置１５は、管理部として機能し、保冷箱２０から借主情報を受信すると、借主情報と、借主情報に付与された保冷箱２０のＩＤと、を紐づけて保冷箱２０のレンタル管理を行う。また、サーバ装置１５は、配送情報を受信すると、発送元から配送先までの配送を依頼する輸送会社４０Ａ〜４０Ｆを決定し、決定した輸送会社４０Ａ〜４０Ｆの輸送会社用端末１３に輸送依頼を送信する。
【００２６】
また、サーバ装置１５は、情報送信部として機能し、借主３０が所有する借主用端末１２や、輸送依頼をした輸送会社４０Ａ〜４０Ｆの輸送会社端末１３からの箱情報の送信要求を受信すると、定期的に送信された箱情報をこれら借主用端末１２、輸送会社端末１３に送信する。
【００２７】
また、保冷箱２０を長距離、長時間輸送する場合、冷凍センタ５０に立ち寄って保冷剤を交換することがある。冷凍センタ５０で保冷剤を交換すると、センタ用端末１４から交換した保冷材の種類、個数や、交換した場所、時間などを示す交換情報がサーバ装置１５に送信される。
【００２８】
サーバ装置１５は、借主３０が所有する借主端末１２や、輸送依頼をした輸送会社４０Ａ〜４０Ｆの輸送会社端末１３からの箱情報の送信要求を受信すると、定期的に送信された箱情報に加え、上述した交換情報をこれら借主端末１２、輸送会社用端末１３に送信する。
【００２９】
上述した実施形態によれば、サーバ装置１５が、保冷箱２０に取り付けられたセンサ１１１からの検出結果を、サーバ装置１５が管理している輸送会社４０Ａ〜４０Ｆ又は借主３０に送信する。これにより、容易に保冷箱２０の状態を輸送会社４０Ａ〜４０Ｆや借主３０に知らせることができる。
【００３０】
上述した実施形態によれば、サーバ装置１５には、センサ１１１からの検出結果が無線通信を介して送信される。これにより、リアルタイムに保冷箱２０の状態を輸送会社４０Ａ〜４０Ｆや借主３０に知らせることができる。
【００３１】
上述した実施形態によれば、サーバ装置１５には、メモリ１１２に書き込まれた配送情報、借主情報が無線通信を介して送信され、サーバ装置１５は、配送情報、借主情報に基づいて、輸送会社、借主を管理する。これにより、保冷箱２０に取り付けられたメモリ１１２に配送情報、借主情報を書き込むことにより、サーバ装置１５に配送情報、借主情報を送信することができる。
【００３２】
上述した実施形態によれば、サーバ装置１５は、冷凍センタ５０から受信した交換情報も輸送会社４０Ａ〜４０Ｆや借主３０に知らせることができる。
【００３３】
なお、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００３４】
例えば、上述した実施形態によれば、箱情報は、センサ付き無線器１１からサーバ装置１５に直接送信されていたが、これに限ったものではない。輸送会社４０Ａ〜４０Ｆが所有する大型トラック６０、飛行機７０、電車８０、フェリー９０、バス１００、小型トラック１１０などの輸送手段にインターネット通信網１２０に接続可能な無線器が搭載されている場合、箱情報は、無線器を経由してサーバ装置１５に送信されてもよい。
【００３５】
また、上述した実施形態によれば、保冷剤を収容した保冷箱２０を用いていたが、これに限ったものではない。保冷箱２０の代わりに、又は、保冷箱２０に加えて保温剤を収容した保温箱を用いてもよい。
【００３６】
また、上述した実施形態によれば、輸送会社４０Ａ〜４０Ｆ及び借主３０の双方に箱情報を送信していたが、これに限ったものではない。箱情報は、輸送会社４０Ａ〜４０Ｆ及び借主３０の何れか一方に箱情報を送信するようにしてもよい。
【００３７】
また、上述した実施形態によれば、箱情報をサーバ装置１５に無線で送信していたが、これに限ったものではない。保冷箱２０の配送後に、ＲＦリーダライタを用いてメモリ１１２の内容を読み取って、サーバ装置１５に送信するようにしてもよい。
【００３８】
また、上述した実施形態によれば、メモリ１１２に書き込まれた配送情報及び借主情報をサーバ装置１５に送信していたが、これに限ったものではない。保冷箱２０のレンタルを行う店舗に設置された端末に配送情報及び借主情報を入力して、端末からサーバ装置１５に送信するようにしてもよい。
【００３９】
また、上述した実施形態によれば、サーバ装置１５は、輸送会社４０Ａ〜４０Ｆ又は借主３０に交換情報を送信していたが、これに限ったものではない。交換情報を送信するのは必須ではない。
【００４０】
ここで、上述した本発明に係る保冷／保温箱の管理システムの実施形態の特徴をそれぞれ以下［１］〜［４］に簡潔に纏めて列記する。
［１］
保冷／保温剤が収容された保冷／保温箱（２０）に取り付けられたセンサ（１１１）と、
前記保冷／保温箱（２０）の輸送を行う輸送会社（４０Ａ〜４０Ｆ）又は前記保冷／保温箱（２０）を借りた借主（３０）を管理する管理部（１５３）と、
前記センサ（１１１）からの検出結果を、前記管理部（１５３）が管理している前記輸送会社（４０Ａ〜４０Ｆ）又は前記借主（３０）に送信する情報送信部（１５３）と、を備えた、
保冷／保温箱の管理システム（１０）。
［２］
［１］に記載の保冷／保温箱の管理システム（１０）において、
前記情報送信部（１５３）には、前記センサ（１１１）からの検出結果が無線通信を介して送信される、
保冷／保温箱の管理システム（１０）。
［３］
［１］又は［２］に記載の保冷／保温箱の管理システム（１０）において、
前記保冷／保温箱（２０）に取り付けられ、前記保冷／保温箱の発送元、配送先を示す配送情報又は借主情報が書き込まれるメモリ（１１２）を備え、
前記管理部（１５３）には、前記メモリ（１１２）に書き込まれた前記配送情報又は前記借主情報が無線通信を介して送信され、
前記管理部（１５３）は、前記配送情報又は前記借主情報に基づいて、前記輸送会社（４０Ａ〜４０Ｆ）又は前記借主（３０）を管理する、
保冷／保温箱の管理システム（１０）。
［４］
［１］〜［３］何れか１項に記載の保冷／保温箱の管理システム（１０）において、
前記情報送信部（１５３）は、前記センサ（１１１）からの検出結果と、輸送途中に前記保冷剤を交換したことを示す交換情報と、を前記管理部（１５３）が管理している前記輸送会社（４０Ａ〜４０Ｆ）又は前記借主（３０）に送信する、
保冷／保温箱の管理システム（１０）。
【符号の説明】
【００４１】
１０  保冷箱の管理システム（保冷／保温箱の管理システム）
２０  保冷箱（保冷／保温箱）
３０  借主
４０Ａ〜４０Ｆ  輸送会社
１１１  センサ
１１２  メモリ
１５３  制御部（管理部、情報送信部）
【図１】
2022002049.tif 000003
【図２】
2022002049.tif 000004
【図３】
2022002049.tif 000005
【図４】
2022002049.tif 000006
【図５】
2022002049.tif 000007
【手続補正書】
【提出日】令和3年10月29日(2021.10.29)
【手続補正１】
【補正対象書類名】特許請求の範囲
【補正対象項目名】全文
【補正方法】変更
【補正の内容】
【特許請求の範囲】
【請求項１】
保冷／保温剤が収容されると共に借主に貸し出しされる保冷／保温箱に取り付けられたセンサと、
前記保冷／保温箱の輸送を依頼した輸送会社を管理する管理部と、
前記センサからの検出結果を、前記管理部が管理している前記輸送を依頼している前記輸送会社に送信する情報送信部と、を備えた、
保冷／保温箱の管理システム。
【請求項２】
請求項１に記載の保冷／保温箱の管理システムにおいて、
前記情報送信部には、前記センサからの検出結果が無線通信を介して送信される、
保冷／保温箱の管理システム。
【請求項３】
請求項１又は２に記載の保冷／保温箱の管理システムにおいて、
前記保冷／保温箱に取り付けられ、前記保冷／保温箱の発送元、配送先を示す配送情報又は借主情報が書き込まれるメモリを備え、
前記管理部には、前記メモリに書き込まれた前記配送情報又は前記借主情報が無線通信を介して送信され、
前記管理部は、前記配送情報又は前記借主情報に基づいて、前記輸送会社を管理する、
保冷／保温箱の管理システム。
【請求項４】
請求項１〜３何れか１項に記載の保冷／保温箱の管理システムにおいて、
前記情報送信部は、前記センサからの検出結果と、輸送途中に前記保冷／保温剤を交換したことを示す交換情報と、を前記管理部が管理している前記輸送を依頼している前記輸送会社に送信する、
保冷／保温箱の管理システム。
【手続補正２】
【補正対象書類名】明細書
【補正対象項目名】０００５
【補正方法】変更
【補正の内容】
【０００５】
前述した目的を達成するために、本発明に係る保冷／保温システムは、下記［１］〜［３］を特徴としている。
［１］
保冷／保温剤が収容されると共に借主に貸し出しされる保冷／保温箱に取り付けられたセンサと、
前記保冷／保温箱の輸送を依頼した輸送会社を管理する管理部と、
前記センサからの検出結果を、前記管理部が管理している前記輸送を依頼している前記輸送会社に送信する情報送信部と、を備えた、
保冷／保温箱の管理システムであること。
［２］
［１］に記載の保冷／保温箱の管理システムにおいて、
前記情報送信部には、前記センサからの検出結果が無線通信を介して送信される、
保冷／保温箱の管理システムであること。
［３］
［１］又は［２］に記載の保冷／保温箱の管理システムにおいて、
前記保冷／保温箱に取り付けられ、前記保冷／保温箱の発送元、配送先を示す配送情報又は借主情報が書き込まれるメモリを備え、
前記管理部には、前記メモリに書き込まれた前記配送情報又は前記借主情報が無線通信を介して送信され、
前記管理部は、前記配送情報又は前記借主情報に基づいて、前記輸送会社を管理する、
保冷／保温箱の管理システムであること。
［４］
［１］〜［３］何れか１項に記載の保冷／保温箱の管理システムにおいて、
前記情報送信部は、前記センサからの検出結果と、輸送途中に前記保冷／保温剤を交換したことを示す交換情報と、を前記管理部が管理している前記輸送を依頼している前記輸送会社に送信する、
保冷／保温箱の管理システムであること。
【手続補正３】
【補正対象書類名】明細書
【補正対象項目名】０００６
【補正方法】変更
【補正の内容】
【０００６】
上記［１］の構成の保冷／保温箱の管理システムによれば、情報送信部が、保冷／保温箱に取り付けられたセンサからの検出結果を、管理部が管理している輸送を依頼している輸送会社に送信する。これにより、容易に保冷／保温箱の状態を、輸送を依頼している輸送会社に知らせることができる。
【手続補正４】
【補正対象書類名】明細書
【補正対象項目名】０００７
【補正方法】変更
【補正の内容】
【０００７】
上記［２］の構成の保冷／保温箱の管理システムによれば、情報送信部には、センサからの検出結果が無線通信を介して送信される。これにより、リアルタイムに保冷／保温箱の状態を輸送会社に知らせることができる。
【手続補正５】
【補正対象書類名】明細書
【補正対象項目名】０００８
【補正方法】変更
【補正の内容】
【０００８】
上記［３］の構成の保冷／保温箱の管理システムによれば、管理部には、メモリに書き込まれた配送情報又は借主情報が無線通信を介して送信され、管理部は、配送情報又は借主情報に基づいて、輸送会社を管理する。これにより、保冷／保温箱に取り付けられたメモリに配送情報又は借主情報を書き込むことにより、管理部に配送情報又は借主情報を送信することができる。
【手続補正６】
【補正対象書類名】明細書
【補正対象項目名】０００９
【補正方法】変更
【補正の内容】
【０００９】
上記［４］の構成の保冷／保温箱の管理システムによれば、保冷／保温剤の交換情報も輸送会社に知らせることができる。
【手続補正７】
【補正対象書類名】明細書
【補正対象項目名】００１０
【補正方法】変更
【補正の内容】
【００１０】
本発明によれば、容易に保冷／保温箱の状態を輸送会社に知らせることができる保冷／保温箱の管理システムを提供することができる。